(57)【要約】【課題】複数の固定接点中から任意の固定接点を選択し、この選択された固定接点を切換える構成を小型化できる携帯装置を提供する。【解決手段】一列に配された複数の固定接点７ａ〜７ｄを有するプリント基板６に対し、固定接点７ａ〜７ｄの一部を臨ませる貫通孔９ａ、９ｂ、９ｃを有する板状の第１の可動部１０を列方向に沿って可動させ、この第１の可動部１０を挟んで固定接点７ａ〜７ｄに対向して第２の可動部１１を列方向に沿って可動させ、第２の可動部１１に可動接点１１ａ、１１ｂを設け、貫通孔９ａ、９ｂ、９ｃによって臨まされた固定接点に可動接点１１ａ、１１ｂを接触させて切換え接続する。そして、この切換え接続したい固定接点は、第１の可動部１０を移動させることにより選択し、固定接点７ａ〜７ｄ間の接続を多様に切換える。【選択図】      図２
2005005033.tif 000002
【特許請求の範囲】
【請求項１】
本体内に設けられた複数の回路に対応した固定接点を任意に選択して切換える機能を有する携帯装置であるＰＤＡにおいて、複数の前記固定接点をプリント基板上に一列に配して形成した固定接点部と、前記固定接点部に対向して前記固定接点の一部を臨ませる貫通孔を有し前記列方向に沿って可動する板状の絶縁材からなる第１の可動部と、前記第１の可動部を連結して前記本体の側部に設けた第１の操作部と、前記第１の可動部を挟んで前記固定接点部に対して前記列方向に沿って可動すると共に、前記貫通孔を介して前記固定接点に接する複数の可動接点を有する第２の可動部と、前記第２の可動部を連結して前記本体の側部に設けた第２の操作部とを備えてなることを特徴とする携帯装置であるＰＤＡ。
【請求項２】
本体内に設けられた複数の回路に対応した固定接点を任意に選択して切換える機能を有する携帯装置において、前記複数の固定接点を一列に配した固定接点部と、前記固定接点部に対向して前記固定接点の一部を臨ませる貫通孔を有し前記列方向に沿って可動する絶縁材からなる第１の可動部と、前記第１の可動部を連結した第１の操作部と、前記第１の可動部を挟んで前記固定接点部に対して前記列方向に沿って可動すると共に、前記貫通孔を介して前記固定接点に接する複数の可動接点を有する第２の可動部と、前記第２の可動部を連結した第２の操作部とを備えてなることを特徴とする携帯装置。
【請求項３】
前記固定接点はプリント基板に配され、前記第１の可動部と第２の可動部は板状であることを特徴とする請求項２に記載の携帯装置。
【請求項４】
前記第１の操作部と前記第２の操作部とが本体の側部に設けられてなることを特徴とする請求項２に記載の携帯装置。
【請求項５】
前記固定接点はプリント基板に配され、前記第１の可動部と第２の可動部は板状であり、前記第１の操作部と前記第２の操作部とが本体の側部に設けられてなることを特徴とする請求項２に記載の携帯装置。
【請求項６】
本体内に設けられた複数の回路に対応した固定接点を任意に選択して切換える機能を有する携帯装置において、前記複数の固定接点を一列に配した固定接点部と、前記固定接点部に対向して一部の前記固定接点を臨ませる第１の貫通孔を有し前記列方向に沿って可動する絶縁材からなる第１の可動部と、前記第１の可動部を連結した第１の操作部と、前記第１の可動部を挟んで前記固定接点部に対して前記列方向に沿って可動すると共に、前記貫通孔を介して前記固定接点に接する複数の可動接点を有する第２の可動部と、前記第２の可動部を連結した第２の操作部と、前記第１の可動部と前記第２の可動部との間に少なくとも一つ以上配されて前記列方向に沿って可動すると共に、前記第１の貫通孔を介して一部の前記固定接点を臨ませる第２の貫通孔を有する絶縁材からなる第３の可動部と、前記第３の可動部を連結した第３の操作部とを備えてなることを特徴とする携帯装置。
【請求項７】
前記固定接点はプリント基板に配され、前記第１の可動部、第２の可動部及び第３の可動部が板状であることを特徴とする請求項６に記載の携帯装置。
【請求項８】
前記第１の操作部、前記第２の操作部及び第３の操作部とが本体の側部に設けられてなることを特徴とする請求項２に記載の携帯装置。
【請求項９】
前記固定接点はプリント基板に配され、前記第１の可動部及び第３の可動部が板状であり、前記前記第１の操作部、前記第２の操作部及び前記第３の操作部が本体の側部に設けられてなることを特徴とする請求項６に記載の携帯装置。
【発明の詳細な説明】
【０００１】
【発明の属する技術分野】
本発明は、携帯電話、ＰＤＡ（Ｐｅｒｓｏｎａｌ  ｄｉｇｉｔａｌ  ａｓｓｉｓｔａｎｔ）といわれる個人向け携帯型情報通信器、携帯用オーディオ装置等のような各種の切換え操作を必要とする携帯装置に関する。
【０００２】
【従来の技術】
従来、この種の携帯装置は、電源スイッチは勿論のこと各種のモード切換えスイッチを有しているが、特に近時は、小型化されると同時に各種の機能が豊富に盛り込まれるようになってきている。そのため、操作すべき切換えスイッチが多数必要となってきた。
【０００３】
そこで、このような携帯装置における従来技術としては、例えば下記特許文献１で示すものが提案されている。これは、回転ダイヤル４の回転動作によってカーソルを上下だけでなく、左右にも移動させるものである。そのために、別途補助キー５を設け、回転ダイヤル４だけの操作ではカーソルが上下に移動し、補助キー５の押圧操作と共に回転ダイヤル４を操作するとカーソルが左右に移動できるようにしたものである。このようにして、回転ダイヤル４は補助キー５の助けを借りて異なった動作が可能となる。
【０００４】
また、回転ダイヤル４は、押圧可能になっており、押圧することによりスイッチ動作がなされる構成をとっている。この構成により、回転ダイヤル４は任意の回動位置で押圧するとトリガー信号を発生する機能を有している。
【０００５】
【特許文献１】
特開２００２−３４２０００号公報
【０００６】
【発明が解決しようとする課題】
しかしながら、上述した従来の技術においては、回転ダイヤル４と補助キー５の２つの部品を異なった位置に配している。そのため、携帯装置は夫々の部品の占有体積を独立して確保し、夫々の部品間を接続するための回路を必要とすることになるので小型化に制限が生じてしまう。一方、回転ダイヤル４自体を押圧可能にしてスイッチ機能をもたせた技術にあっては、ディスプレイ上に表示した多種のメニュー画面から回転ダイヤル４の押圧操作によりクリックして所望のメニユーの選択ができる。そのため、この技術は、同一個所での同一部品での複数機能を達成するという有効な機能を有するが、ディスプレイ上での表示が必須となる。
【０００７】
ところが、各種の携帯装置では、複数の回路に対応した固定接点を任意に選択して切換える必要がある。このような機能を有する携帯装置においては、上述した記複数の部品を異なる位置に配する従来技術を適用すると小型化が不可能になってしまう。また、固定接点の切換えにディスプレイの表示を用いることは、特別なソフトウェアを必要とするのでコスト的に不利となり、操作もめんどうである。そこで、本発明は、上記携帯装置において、複数の固定接点中から任意の固定接点を選択し、この選択された固定接点の切換え操作に適したものを提供することを目的とする。
【０００８】
【課題を解決するための手段】
上記目的を達成するため、本発明の請求項１によるＰＤＡの構成は、本体内に設けられた複数の回路に対応した固定接点を任意に選択して切換える機能を有する携帯装置であるＰＤＡにおいて、複数の前記固定接点をプリント基板上に一列に配して形成した固定接点部と、前記固定接点部に対向して前記固定接点の一部を臨ませる貫通孔を有し前記列方向に沿って可動する板状の絶縁材からなる第１の可動部と、前記第１の可動部を連結して前記本体の側部に設けた第１の操作部と、可動部前記第１の可動部を挟んで前記固定接点部に対して前記列方向に沿って可動すると共に、前記貫通孔を介して前記固定接点に接する複数の可動接点を有する第２の可動部と、前記第２の可動部を連結して前記本体の側部に設けた第２の操作部とを備えてなるので、以下の効果を有する。第一に、前記ＰＤＡは、前記複数の固定接点中、一部の固定接点を選択的に貫通孔を介して臨ませ、この臨ませた固定接点についてのみ前記可動接点が接触するため、前記可動接点が前記固定接点を選択して接続することを簡単な構成で確実にできる効果がある。特に、少ない操作部で多数の機能を発揮できるのでＰＤＡに適用して好適である。第二に、前記ＰＤＡは、板状の前記プリント基板に同じ板状の第１の可動部を重ねて設け、全体的に厚みを薄くすることによって小型化に適した構成とすることができる。第三に、前記第１の操作部と前記第２の操作部とが本体の側部に可動可能に設けられることにより、本体正面に配された表示面等の他の部品の邪魔にならない位置にあり、ＰＤＡにおいて操作性が向上したものとなる効果がある。
【０００９】
また、本発明の請求項２による携帯装置にあっては、一列に配された複数の固定接点を有する固定接点部と、前記固定接点部に対向して前記固定接点の一部を臨ませる貫通孔を有し前記列方向に沿って可動する絶縁材からなる第１の可動部と、前記第１の可動部に連結された第１の操作部と、前記第１の可動部を挟んで前記固定接点部に対して前記列方向に沿って可動すると共に、前記貫通孔を介して前記固定接点に接する複数の可動接点を有する第２の可動部と、前記第２の可動部に連結された第２の操作部とを備えてなるので、前記複数の固定接点中、一部の固定接点を選択的に貫通孔を介して臨ませ、この臨ませた固定接点についてのみ前記可動接点が接触するため、前記可動接点が前記固定接点を選択して接続することを簡単な構成で確実にできる効果がある。
【００１０】
また、本発明の請求項３による携帯装置にあっては、請求項２における前記固定接点はプリント基板に配され、前記第１の可動部は板状であるので、板状の前記プリント基板に同じ板状の第１の可動部を重ねて設け、全体的に厚みを薄くすることによって小型化に適した構成とすることができる。
【００１１】
また、本発明の請求項４による携帯装置にあっては、請求項２のおける前記第１の操作部と前記第２の操作部とが本体の側部に設けられてなるので、本体正面に配された表示面等の他の部品の邪魔にならない位置にあり、携帯装置において操作性が向上したものとなる効果がある。
【００１２】
また、本発明の請求項５による携帯装置にあっては、請求項２における前記固定接点はプリント基板に配され、前記第１の可動部と第２の可動部は板状であり、前記第１の操作部と前記第２の操作部とが本体の側部に設けられてなるので、板状の前記プリント基板に同じ板状の第１の可動部を重ねて設け、全体的に厚みを薄くすることによって小型化に適した構成とすることができる。更に、前記第１の操作部と前記第２の操作部とが本体の側部に可動可能に設けられることにより、本体正面に配された表示面等の他の部品の邪魔にならない位置にあり、携帯装置において操作性が向上したものとなる効果がある。
【００１３】
また、本発明の請求項６による携帯装置にあっては、本体内に設けられた複数の回路に対応した固定接点を任意に選択して切換える機能を有する携帯装置において、前記複数の固定接点を一列に配した固定接点部と、前記固定接点部に対向して一部の前記固定接点を臨ませる第１の貫通孔を有し前記列方向に沿って可動する絶縁材からなる第１の可動部と、前記第１の可動部を連結した第１の操作部と、前記第１の可動部を挟んで前記固定接点部に対して前記列方向に沿って可動すると共に、前記貫通孔を介して前記固定接点に接する複数の可動接点を有する第２の可動部と、前記第２の可動部を連結した第２の操作部と、前記第１の可動部と前記第２の可動部との間に少なくとも一つ以上配されて前記列方向に沿って可動すると共に、前記第１の貫通孔を介して一部の前記固定接点を臨ませる第２の貫通孔を有する絶縁材からなる第３の可動部と、前記第３の可動部を連結した第３の操作部とを備えてなるので、以下の効果を有する。前記携帯装置は、前記複数の固定接点中、一部の固定接点を選択的に貫通孔を介して臨ませ、この臨ませた固定接点についてのみ前記可動接点が接触するのであるが、複数の可動部を夫々独立に可動可能に設け、これら可動部の貫通孔の位置を種々組み合わせることができるため、前記可動接点による前記固定接点の接続状態の組み合わせを少ない部品で多くとることができる。
【００１４】
また、本発明の請求項７による携帯装置にあっては、請求項６における前記固定接点はプリント基板に配され、前記第１の可動部、第３の可動部が板状であるので、板状の前記プリント基板に同じ板状の第１の可動部、第３の可動部を重ねて設け、全体的に厚みを薄くすることによって小型化に適した構成とすることができる。
【００１５】
また、本発明の請求項８による携帯装置にあっては、請求項６における前記第１の操作部、前記第２の操作部及び第３の操作部とが本体の側部に設けられてなるので、本体正面に配された表示面等の他の部品の邪魔にならない位置にあり、携帯装置において操作性が向上したものとなる効果がある。
【００１６】
また、本発明の請求項９による携帯装置にあっては、請求項６における前記固定接点はプリント基板に配され、前記第１の可動部及び第３の可動部が板状であり、前記前記第１の操作部、前記第２の操作部及び前記第３の操作部が本体の側部に設けられてなるので、板状の前記プリント基板に同じ板状の第１の可動部、第３の可動部を重ねて設け、全体的に厚みを薄くすることによって小型化に適した構成とすることができる。更に、前記第１の操作部、第２の操作部及び第３の操作部が本体正面に配された表示面等の他の部品の邪魔にならない位置にあり、携帯装置において操作性が向上したものとなる効果がある。
【００１７】
【発明の実施の形態】
以下、本発明の実施の形態について図面を参照しながら説明する。図１は本発明の実施の形態の第１の例を適用した携帯装置であるＰＤＡの外観を示す斜視図、図２はその要部の断面図、図３はその要部を平面的に示した説明図である。
【００１８】
図１において、１はＰＤＡの本体であり全体的に円形となっている。本体１の側面中央部分には帯状に固定部２が設けられ、その両側には帯状の第１の操作部３と第２の操作部４とが設けられている。固定部２は本体１と一体になっており、第１の操作部３と第２の操作部４とは本体１に対して回動するようになっている。そして、これら固定部２、第１の操作部３及び第２の操作部４には夫々適宜に表示が施されている。一方、本体１の正面には液晶画面５が設けられている。
【００１９】
図２、図３で示すように本体１の内部には、プリント基板６上に一列に並んで４個の固定接点７ａ、７ｂ、７ｃ、７ｄを配して固定接点部８が形成されている。これら固定接点７ａ、７ｂ、７ｃ、７ｄは回路に接続されている。固定接点部８に対向して絶縁材からなる板状の第１の可動部１０が配されている。そして、この第１の可動部１０には、３個の固定接点が臨まされる３個の貫通孔９ａ、９ｂ、９ｃが形成されている。また、この第１の可動部１０は第１の操作部３と連結なされ、固定接点７ａ、７ｂ、７ｃ、７ｄの列に沿って移動するようになっている。１１ａ、１１ｂは第１の接点部１０を挟んで固定接点部８に対向して配された一対の可動接点であり、互いに電気的に連結されている。この可動接点１１ａ、１１ｂは第２の操作部４に取り付けられた第２の可動部１１を形成している。そして、可動接点１１ａ、１１ｂは貫通孔９ａ、９ｂ、９ｃを介して固定接点７ａ、７ｂ、７ｃ、７ｄ中の２個の接点と接触するものである。第１の操作部３と第２の操作部４は、所定に位置でクリックストップするクリックストップ機構（図示せず）が設けられている。また、可動接点１１ａ、１１ｂは先端に丸みをもたせ、貫通孔９ａ、９ｂ、９ｃはテーパ状として、可動接点１１ａ、１１ｂが貫通孔９ａ、９ｂ、９ｃ内への挿入、離脱を円滑にする。
【００２０】
次に、本発明の実施の形態の第１の例における動作を図４〜図６を用いて説明するが、各構成部品は説明の便宜上直線的に示す。
【００２１】
図４、図５に基づいて、第１の切換え動作である固定端子７ａ、７ｂ、７ｃ間での切換えについて説明をする。まず、第１の操作部３を操作することよって第１の可動部１０を移働させ、３個の貫通孔９ａ、９ｂ、９ｃを固定接点７ａ、７ｂ、７ｃ上に位置させる。次に、第２の操作部４を回動操作して可動接点１１ａ、１１ｂを図４で示すとおり、貫通孔９ａ、９ｂ上に位置させれば、可動接点１１ａ、１１ｂは、固定接点７ａ、７ｂを短絡させて、図５で示すように第１の回路１２ａと第２の回路１２ｂとを接続する。更に、第２の操作部４を操作することにより可動接点１１ａ、１１ｂを貫通孔９ｂ、９ｃ上に位置させれば、図５において点線で示すように可動接点１１ａ，１１ｂｇａ固定接点７ｂ、７ｃを短絡させて第２の回路１２ｂと第３の回路１２ｃとを接続させる。固定接点７ｄは第１の可動部１０によりマスクされており、仮に、その位置に可動接点１１ａ、１１ｂが移動しても接触せず電気的な接続関係が得られない。従って、第１の切換え動作では固定接点７ａ、７ｂ、７ｃ間だけの切換え接続がなされる。
【００２１】
図６、図７に基づいて、第２の切換え動作である固定接点７ｂ、７ｃ、７ｄ間での切換えについて説明をする。まず、第１の操作部３を操作することによって第１の可動部１０を移動させ、３個の貫通孔９ａ、９ｂ、９ｃを固定接点７ｂ、７ｃ、７ｄ上に位置させる。次に、第２の操作部４を操作して可動接点１１ａ、１１ｂを図６で示すとおり、貫通孔９ａ、９ｂ上に位置されれば、可動接点１１ａ，１１ｂは固定接点７ｂ、７ｃを短絡させて、図７で示すように第２の回路１２ｂと第３の回路１２ｃとを接続することになる。更に、第２の操作部４を操作して可動接点１１ａ、１１ｂを貫通孔９ｃ、９ｄ上に位置させれば、可動接点１１ａ，１１ｂが固定接点７ｃ、７ｄを短絡させて、点線で示すように第３の回路１２ｃと第４の回路１２ｄとを接続することになる。固定接点７ａは第１の可動部１０によりマスクされており、仮に、その位置に可動接点１１ａ、１１ｂが移動しても接触せず電気的な接続関係が得られない。従って、第２の切換え動作は固定接点７ｂ、７ｃ、７ｄ間だけの切換え接続がなされる。
【００２２】
上述した本発明の第１の実施例による構成によれば、回路１２ａ〜１２ｄから例えば、回路１２ａ、１２ｂ、１２ｃを選択してこの間で切換えを行うことは、第１の可動部１０と第２の可動部１１との所定位置への移動によって達成できる。切換えを必要としない回路１１ｄにあっては、その固定接点７ｄは絶縁材からなる第１の可動部１０によってマスクされる。従って、可動接点１１ａ１１ｂが固定接点７ｄの前方に移動されても接点同士が接触されない。一方、回路１２ｂ、１２ｃ、１２ｄを選択してこの間で切換えを行う場合は、第１の可動部１０を移動して固定接点１２ａをマスクすることにより達成できる。そして、第１の操作部３と第２の操作部４の２つの操作で多くの異なる機能を選択できる。
【００２３】
本発明の実施の形態における第２の例について説明する。図８はその要部の断面図、図９は要部を平面的に示した説明図であるが、説明の便宜上前述した第１の実施例と同一部分は同一符号を付してその説明を省略する。
【００２４】
第１の回動部１０には、固定接点７ａ〜７ｄ中少なくとも３個が臨まされる長溝状の貫通孔１３が形成されている。本体１には第３の操作部１４が可動可能に設けられている。この第３の操作部１４には絶縁材からなる板状の第３の可動部１５が連結されている。この第３の可動部１５は第１の可動部１０に形成された貫通孔１３と同一形状の貫通孔１６が形成されている。そして、第２の可動部１１の可動接点１１ａ、１１ｂは第３の可動部１５の貫通孔１６と第１の可動部１０の貫通孔１３を介して固定接点７ａ〜７ｄに接触し得るようになっている。同時に、これら第１の可動部１０、第３の可動部１５は夫々独立に第１の操作部３、第３の操作部１４によって移動され、固定接点７ａ〜７ｄを選択的に臨ますようになっている。
【００２５】
次に、本発明の実施の形態の第２の例における動作を図１０〜図１９を用いて説明するが、各構成部材は説明の便宜上直線的に示す。
【００２６】
図１０、図１１に基づいて、第１の切換え動作である固定端子７ａ、７ｂ、７ｃ間での切換えについて説明する。まず、第１の操作部３を操作することによって第１の可動部１０を移働させ、図１０で示すように、貫通孔１３が固定接点７ａ、７ｂ、７ｃを臨ませるように位置させる。次に、第３の操作部１４を操作することによって第３の可動部１５を移動させ、貫通孔１６が貫通孔１３に一致されて固定接点７ａ、７ｂ、７ｃ全てを臨ませるように位置させる。この状態で、第２の操作部４を操作することによって可動接点１１ａ、１１ｂを固定接点７ａ、７ｂ上に一致させれば、可動接点１１ａ、１１ｂは、図１１で示すように固定接点７ａ、７ｂに接触して第１の回路１２ａと第２の回路１２ｂとを接続させることになる。また、この状態で、第２の操作部４を操作することによって可動接点１１ａ、１１ｂを固定接点７ｂ、７ｃ上に一致させれば、可動接点１１ａ、１１ｂは、図１１の点線で示すように固定接点７ｂ、７ｃに接触して第１の回路１２ｂと第２の回路１２ｃとを接続させることになる。固定接点７ｄは第１の可動部１０によりマスクされており、仮に、その位置に可動接点１１ａ、１１ｂ、１１ｃが移動しても接触せず電気的な接続関係が得られない。従って、第１の切換え動作では固定接点７ａ、７ｂ、７ｃ間だけでの切換え接続がなされる。
【００２７】
図１２、図１３に基づいて、第２の切換え動作である固定接点７ａ、７ｂ間での切換えについて説明をする。第１の可動部１０はそのままで、図１２で示すように、第３の操作部１３を操作することによって第３の可動部１５を上方に可動させ、固定接点７ａ、７ｂが臨ませされるように位置させる。この状態で、第２の操作部４を操作することによって可動接点１１ａ、１１ｂを固定接点７ａ、７ｂ上に一致させれば、可動接点１１ａ、１１ｂは、図１３で示すように固定接点７ａ、７ｂに接触して第１の回路１２ａと第２の回路１２ｂとのオン、オフの切換えを行う。可動接点１１ａ、１１ｂはこれ以外に移動しても第１の可動部１０、第２の可動部１５によりマスクされており、他の回路間の接続がなされない。従って、第２の切換え動作では固定接点７ａ、７ｂ間だけでの切換え接続がなされる。
【００２８】
図１４、図１５に基づいて、第３の切換え動作である固定接点７ｂ、７ｃ間での切換えについて説明をする。第１の可動部１０はそのままで、図１４で示すように、第３の操作部１３によって第３の可動部１５を下方に移動させ、固定接点７ｂ、７ｃが臨ませされるように位置させる。この状態で、第２の操作部４を操作することによって可動接点１１ａ、１１ｂを固定接点７ｂ、７ｃ上に一致させれば、可動接点１１ａ、１１ｂは、図１４で示すように固定接点７ｂ、７ｃに接触して第２の回路１２ｂと第３の回路１２ｃとのオン、オフの切換えを行う。可動接点１１ａ、１１ｂはこれ以外であると第１の可動部１０、第２の可動部１５によりマスクされており、他の回路間の接続がなされない。従って、第３の切換え動作では固定接点７ｂ、７ｃ間だけでの接続がなされ。
【００２９】
図１６、図１７に基づいて、第４の切換え動作である固定接点７ｂ、７ｃ、７ｄ間での切換えについて説明をする。まず、第１の操作部３によって第１の可動部１０を移働させ、図１６で示すように、貫通孔１３が固定接点７ｂ、７ｃ、７ｄを臨ませるように位置させる。次に、第３の操作部１３を操作することによって第３の可動部１５を移動させ、貫通孔１６が貫通孔１３に一致されて固定接点７ｂ、７ｃ、７ｄ全てを臨ませるように位置させる。この状態で、第２の操作部４を操作することによって可動接点１１ａ、１１ｂを固定接点７ｂ、７ｃ上に一致させれば、可動接点１１ａ、１１ｂは、図１７で示すように固定接点７ｂ、７ｃに接触して第２の回路１２ｂと第３の回路１２ｃとを接続させることになる。また、この状態で第２の操作部４を操作することによって可動接点１１ａ、１１ｂを固定接点７ｃ、７ｄ上に一致させれば、可動接点１１ａ、１１ｂは、図１７の点線で示すように固定接点７ｃ、７ｄに接触して第３の回路１２ｃと第４の回路１２ｄとを接続させることになる。固定接点７ａは第１の可動部１０によりマスクされており、仮に、その位置に可動接点１１ａ、１１ｂが移動しても接触せず電気的な接続関係が得られない。従って、第４の切換え動作では固定接点７ｂ、７ｃ、７ｄ間だけでの切換え接続がなされる。
【００３０】
図１８、図１９に基づいて、第５の切換え動作である固定接点７ｃ、７ｄ間での切換えについて説明をする。まず、第１の可動部１０はそのままで、図１８で示すように、第３の操作部１３によって第３の可動部１５を下方に移動させ、固定接点７ｃ、７ｄが臨ませされるように位置させる。この状態で、第２の操作部４を操作することによって可動接点１１ａ、１１ｂを固定接点７ｃ、７ｄ上に一致させれば、可動接点１１ａ、１１ｂは、図１９で示すように固定接点７ｃ、７ｄに接触して第３の回路１２ｃと第４の回路１２ｄとのオン、オフの切換えを行う。可動接点１１ａ、１１ｂはこれ以外であると第１の可動部１０、第２の可動部１５によりマスクされており、他の回路間の接続がなされない。従って、第５の切換え動作では固定接点７ｃ、７ｄ間だけでの接続がなされる。
【００３１】
尚、図１６において、第１の可動部１０はそのままで第３の操作部１３によって第３の可動部１５を下方に可動させ、固定接点７ｂ、７ｃが臨ませされるように位置させた状態は、図１４で示した状態と同一である。従って、第３の切換え動作と同じ固定接点７ｂ、７ｃ間での接続がなされる。
【００３２】
上述した本発明の第２の実施例による構成によれば、回路１２ａ〜１２ｄから切換え接続をしたい任意の回路を選択する場合は、第１の可動部１０と第３の可動部１５との所定位置への移動によって達成できる。切換えを必要としない回路にあっては、その固定接点は絶縁材からなる第１の可動部１０と第３の可動部１５によってマスクされる。従って、可動接点１１ａ１１ｂは切換えを必要としない固定接点の前方に移動されても接点同士が接触されない。そして、これら回路１２ａ〜１２ｄ間で行う切換え操作は、第１の操作部３、第２の操作部４及び第３の操作部１４を操作して第１の可動部１０、第２の可動部１１及び第３の可動部１５を移動させることにより、５種の切換え接続を達成できる。
【００３３】
尚、本発明の実施の形態の夫々の例では、固定接点は４個であるが、これに限定されずその個数を増減させるようにしてもよい。そして、切換えモードの必要に応じて貫通孔９ａ、９ｂ、９ｃの個数を増減させるようにしてもよく、長溝状の貫通孔１３、１６の長さを増減させるようにしてもよいことは勿論である。
【００３４】
尚又、本発明の実施の形態の夫々の例では、第１の可動部、第２の可動部及び第３の可動部は回動するものであるが直線的に移動するようにしてもよい。
【００３５】
尚更に、本発明の実施の形態の第１の例では、第１の可動部１０に円形の貫通孔９ａ、９ｂ、９ｃを形成したが，その形状は単一の長溝状であってもよい。一方、第２の例では長溝状の貫通孔１３、１６を形成したが、その形状を複数の貫通孔で形成してもよく、また、夫々の貫通孔を切り欠き状にしてもいことは勿論である。
【００３６】
尚更に又、本発明の実施の形態の第２の例では、可動部は２個であるが３個以上であってもよく、その形状も板状に限定されることなく種々変更してもよい。
【００３７】
【発明の効果】
以上説明したように、本発明の請求項１によるＰＤＡによれば、第一に、ＰＤＡは、複数の固定接点中、一部の固定接点を選択的に貫通孔を介して臨ませ、この臨ませた固定接点についてのみ可動接点が接触するため、可動接点が固定接点を選択して接続することを簡単な構成で確実にできる効果がある。特に、少ない操作部で多数の機能を発揮できるのでＰＤＡに適用して好適である。第二に、ＰＤＡは、板状のプリント基板に同じ板状の第１の可動部を重ねて設け、全体的に厚みを薄くすることによって小型化に適した構成とすることができる。第三に、第１の操作部と第２の操作部とが本体の側部に可動可能に設けられることにより、本体正面に配された表示面等の他の部品の邪魔にならない位置にあり、ＰＤＡにおいて操作性が向上したものとなる効果がある。
【００３８】
また、本発明の請求項２による携帯装置は、複数の固定接点中、一部の固定接点を選択的に貫通孔を介して臨ませ、この臨ませた固定接点についてのみ可動接点が接触するため、可動接点が固定接点を選択して接続することを簡単な構成で確実にできる効果がある。
【００３９】
また、本発明の請求項３による携帯装置は、板状の前記プリント基板に同じ板状の第１の可動部を重ねて設け、全体的に厚みを薄くすることによって小型化に適した構成とすることができる。
【００４０】
また、本発明の請求項４による携帯装置は、第１の操作部と第２の操作部とが本体正面に配された表示面等の他の部品の邪魔にならない位置にあり、携帯装置において操作性が向上したものとなる効果がある。
【００４１】
また、本発明の請求項５による携帯装置は、板状のプリント基板に同じ板状の第１の可動部を重ねて設け、全体的に厚みを薄くすることによって小型化に適した構成とすることができる。更に、第１の操作部と第２の操作部とが本体正面に配された表示面等の他の部品の邪魔にならない位置にあり、携帯装置において操作性が向上したものとなる効果がある。
【００４２】
また、本発明の請求項６による携帯装置は、複数の固定接点中、一部の固定接点を選択的に貫通孔を介して臨ませ、この臨ませた固定接点についてのみ可動接点が接触するのであるが、複数の可動部を夫々独立に可動可能に設け、これら可動部の貫通孔の位置を種々組み合わせることができるため、可動接点による固定接点の接続状態の組み合わせを少ない部品で多くとることができる。
【００４３】
また、本発明の請求項７による携帯装置は、、板状の前記プリント基板に同じ板状の第１の可動部、第３の可動部を重ねて設け、全体的に厚みを薄くすることによって小型化に適した構成とすることができる。
【００４４】
また、本発明の請求項８による携帯装置は、第１の操作部、第２の操作部及び第３の操作部が本体正面に配された表示面等の他の部品の邪魔にならない位置にあり、携帯装置において操作性が向上したものとなる効果がある。
【００４５】
また、本発明の請求項９による携帯装置は、板状の前記プリント基板に同じ板状の第１の可動部、第３の可動部を重ねて設け、全体的に厚みを薄くすることによって小型化に適した構成とすることができる。更に、第１の操作部、第２の操作部及び第３の操作部が本体正面に配された表示面等の他の部品の邪魔にならない位置にあり、携帯装置において操作性が向上したものとなる効果がある。
【図面の簡単な説明】
【図１】本発明の実施の形態の第１の例を適用した携帯装置であるＰＤＡの外観を示す斜視図である。
【図２】図１における要部の断面図である。
【図３】図２において各構成部材の相対関係を平面的に示した説明図である。
【図４】本発明の実施の形態の第１の例における第１の切換え動作を説明するための各構成部材の相対関係を平面的に示した説明図である。
【図５】図４における電気的な接続関係を示す回路図である。
【図６】本発明の実施の形態の第１の例における第２の切換え動作を説明するための各構成部材の相対関係を平面的に示した説明図である。
【図７】図６における電気的な接続関係を示す回路図である。
【図８】本発明の実施の形態の第２の例を適用した携帯装置であるＰＤＡの要部を示す断面図である。
【図９】図８において各構成部材の相対関係を平面的に示した説明図である。
【図１０】本発明の実施の形態の第２の例における第１の切換え動作を説明するための各構成部材の相対関係を平面的に示した説明図である。
【図１１】図１０における電気的な接続関係を示す回路図である。
【図１２】本発明の実施の形態の第２の例における第２の切換え動作を説明するための各構成部材の相対関係を平面的に示した説明図である。
【図１３】図１２における電気的な接続関係を示す回路図である。
【図１４】本発明の実施の形態の第２の例における第３の切換え動作を説明するための各構成部材の相対関係を平面的に示した説明図である。
【図１５】図１４における電気的な接続関係を示す回路図である。
【図１６】本発明の実施の形態の第２の例における第４の切換え動作を説明するための各構成部材の相対関係を平面的に示した説明図である。
【図１７】図１６における電気的な接続関係を示す回路図である。
【図１８】本発明の実施の形態の第２の例における第５の切換え動作を説明するための各構成部材の相対関係を平面的に示した説明図である。
【図１９】図１８における電気的な接続関係を示す回路図である。
【符号の説明】
１          本体
２          固定部
３          第１の操作部
４          第２の操作部
６          プリント基板
７ａ、７ｂ、７ｃ、７ｄ
固定接点
８          固定接点部
９ａ、９ｂ、９ｃ
貫通孔
１０          第１の可動部
１１ａ、１１ｂ
可動接点
１１          第２の可動部
１３、１６    貫通孔
１４          第３の操作部
１５          第３の可動部
【図１】
2005005033.tif 000003
【図２】
2005005033.tif 000004
【図３】
2005005033.tif 000005
【図４】
2005005033.tif 000006
【図５】
2005005033.tif 000007
【図６】
2005005033.tif 000008
【図７】
2005005033.tif 000009
【図８】
2005005033.tif 000010
【図９】
2005005033.tif 000011
【図１０】
2005005033.tif 000012
【図１１】
2005005033.tif 000013
【図１２】
2005005033.tif 000014
【図１３】
2005005033.tif 000015
【図１４】
2005005033.tif 000016
【図１５】
2005005033.tif 000017
【図１６】
2005005033.tif 000018
【図１７】
2005005033.tif 000019
【図１８】
2005005033.tif 000020
【図１９】
2005005033.tif 000021